【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
画像の色又は輝度に関する複数のパラメータのうちから、パラメータの調整のために選択されたパラメータであるアクティブパラメータを、タッチパネルの任意の領域でのタッチに応じて調整するパラメータ制御部を有し、
前記任意の領域には、前記複数のパラメータに関するパラメータ表示領域以外の領域の少なくとも一部を含む
情報処理装置。
【請求項２】
前記複数のパラメータに関するパラメータ表示領域以外のタッチパネル上での領域は、前記画像を表示する表示領域である
請求項１に記載の情報処理装置。
【請求項３】
複数のアクティブパラメータがある場合、前記パラメータ制御部は、前記複数のアクティブパラメータのそれぞれを、前記タッチパネルに対する複数のタッチに応じて調整する
請求項１または２に記載の情報処理装置。
【請求項４】
前記パラメータ制御部は、前記複数のタッチそれぞれのタッチ開始位置に応じて、前記複数のタッチそれぞれを、前記複数のアクティブパラメータそれぞれに割り当てる
請求項３に記載の情報処理装置。
【請求項５】
前記複数のパラメータそれぞれについて、ボタンを、前記タッチパネルに表示させる表示制御部をさらに備え、
前記パラメータ制御部は、前記タッチパネル上の、オンになっている前記ボタンの並び順と、前記複数のタッチそれぞれのタッチ開始位置とに応じて、前記複数のタッチそれぞれを、前記複数のアクティブパラメータそれぞれに割り当てる
請求項４に記載の情報処理装置。
【請求項６】
前記表示制御部は、前記複数のパラメータそれぞれについて、前記ボタンを含む、パラメータに関するパラメータ表示領域を、前記タッチパネルに表示させ、
前記パラメータ表示領域は、前記ボタンの他、カラーサークルと、前記パラメータの値を前記カラーサークル上の位置として表すパラメータマークとを含む
請求項５に記載の情報処理装置。
【請求項７】
前記表示制御部は、
前記タッチの移動に追従するタッチマークを、前記タッチパネルに表示させ、
前記タッチの移動に応じて、前記タッチマーク、及び、前記パラメータマークを移動させる
請求項６に記載の情報処理装置。
【請求項８】
前記表示制御部は、前記タッチが開始されたとき、前記タッチマークを表示させ、前記タッチの移動後に、前記タッチが解除されたとき、前記タッチマークを、慣性の法則に従って動いているように移動させながらフェードアウトさせる
請求項７に記載の情報処理装置。
【請求項９】
前記表示制御部は、前記パラメータマークの移動を、前記カラーサークルの領域内に制限する
請求項７または８に記載の情報処理装置。
【請求項１０】
前記表示制御部は、前記タッチの移動に応じた前記タッチマーク、及び、前記パラメータマークの移動量を設定するための設定画面を前記タッチパネルに表示させる
請求項７から９のいずれかに記載の情報処理装置。
【請求項１１】
前記表示制御部は、さらに、前記パラメータを反映した画像を、前記タッチパネルに表示させる
請求項５から１０のいずれかに記載の情報処理装置。
【請求項１２】
前記タッチパネルをさらに備える
請求項１から１１のいずれかに記載の情報処理装置。
【請求項１３】
前記複数のパラメータは、LiftとGammaとGain、又は、SlopeとOffsetとPowerである
請求項１から１２のいずれかに記載の情報処理装置。
【請求項１４】
画像の色又は輝度に関する複数のパラメータのうちから、パラメータの調整のために選択されたパラメータであるアクティブパラメータを、タッチパネルの任意の領域でのタッチに応じて調整するステップを含み、
前記任意の領域には、前記複数のパラメータに関するパラメータ表示領域以外の領域の少なくとも一部を含む
情報処理方法。
【請求項１５】
コンピュータを、
画像の色又は輝度に関する複数のパラメータのうちから、パラメータの調整のために選択されたパラメータであるアクティブパラメータを、タッチパネルの任意の領域でのタッチに応じて調整するパラメータ制御部として機能させ、
前記任意の領域には、前記複数のパラメータに関するパラメータ表示領域以外の領域の少なくとも一部を含む
プログラム。
【請求項１６】
画像の色又は輝度に関する複数のパラメータのうちから、パラメータの調整のために選択されたパラメータであるアクティブパラメータを、タッチパネルの任意の領域でのタッチに応じて調整するパラメータ制御部と、
前記パラメータを反映した画像を、前記タッチパネルに表示させる表示制御部と、
前記タッチパネルと
を備え、
前記任意の領域には、前記複数のパラメータに関するパラメータ表示領域以外の領域の少なくとも一部を含む
表示装置。
【手続補正２】
【補正対象書類名】明細書
【補正対象項目名】００１０
【補正方法】変更
【補正の内容】
【００１０】
本技術の情報処理装置、又は、プログラムは、画像の色又は輝度に関する複数のパラメータのうちから、パラメータの調整のために選択されたパラメータであるアクティブパラメータを、タッチパネルの任意の領域でのタッチに応じて調整するパラメータ制御部を有し、前記任意の領域には、前記複数のパラメータに関するパラメータ表示領域以外の領域の少なくとも一部を含む情報処理装置、又は、そのような情報処理装置として、コンピュータを機能させるためのプログラムである。
【手続補正３】
【補正対象書類名】明細書
【補正対象項目名】００１１
【補正方法】変更
【補正の内容】
【００１１】
本技術の情報処理方法は、画像の色又は輝度に関する複数のパラメータのうちから、パラメータの調整のために選択されたパラメータであるアクティブパラメータを、タッチパネルの任意の領域でのタッチに応じて調整するステップを含み、前記任意の領域には、前記複数のパラメータに関するパラメータ表示領域以外の領域の少なくとも一部を含む情報処理方法である。
【手続補正４】
【補正対象書類名】明細書
【補正対象項目名】００１２
【補正方法】変更
【補正の内容】
【００１２】
本技術の表示装置は、画像の色又は輝度に関する複数のパラメータのうちから、パラメータの調整のために選択されたパラメータであるアクティブパラメータを、タッチパネルの任意の領域でのタッチに応じて調整するパラメータ制御部と、前記パラメータを反映した画像を、前記タッチパネルに表示させる表示制御部と、前記タッチパネルとを備え、前記任意の領域には、前記複数のパラメータに関するパラメータ表示領域以外の領域の少なくとも一部を含む表示装置である。
【手続補正５】
【補正対象書類名】明細書
【補正対象項目名】００１３
【補正方法】変更
【補正の内容】
【００１３】
本技術の情報処理装置、情報処理方法、プログラム、及び、表示装置においては、画像の色又は輝度に関する複数のパラメータのうちから、パラメータの調整のために選択されたパラメータであるアクティブパラメータが、タッチパネルの任意の領域でのタッチに応じて調整される。
【手続補正６】
【補正対象書類名】明細書
【補正対象項目名】００７０
【補正方法】変更
【補正の内容】
【００７０】
CPU２１がカラーグレーティングアプリケーションを実行することにより、情報端末１２が、カラーグレーディング装置として機能することとなると、カラーグレーディング装置では、表示制御部３２が、タッチパネル２８に、メイン画面４１を表示させる。
【手続補正７】
【補正対象書類名】明細書
【補正対象項目名】０１０９
【補正方法】変更
【補正の内容】
【０１０９】
そして、Gainのパラメータマーク７１Ａが、直前の位置から、調整ベクトルA32だけ移動される。
【手続補正８】
【補正対象書類名】明細書
【補正対象項目名】０１１０
【補正方法】変更
【補正の内容】
【０１１０】
この場合、GainのRGBの値は、直前の値から、調整ベクトルA32に対応するベクトルだけ調整され、Gainのパラメータマーク７１Ａの移動後の位置に対応する値になる。
【手続補正９】
【補正対象書類名】明細書
【補正対象項目名】０１３１
【補正方法】変更
【補正の内容】
【０１３１】
そして、Lift，Gamma，Gainそれぞれのパラメータマーク５１Ａ，６１Ａ，７１Ａが、直前の位置から、調整ベクトルA12，A22，A32だけ、それぞれ移動される。
【手続補正１０】
【補正対象書類名】明細書
【補正対象項目名】０１３２
【補正方法】変更
【補正の内容】
【０１３２】
この場合、Lift，Gamma，GainのRGBの値は、直前の値から、調整ベクトルA12，A22，A32に対応するベクトルだけそれぞれ調整され、Lift，Gamma，Gainのパラメータマーク５１Ａ，６１Ａ，７１Ａの移動後の位置に対応する値にそれぞれなる。
【手続補正１１】
【補正対象書類名】明細書
【補正対象項目名】０１５１
【補正方法】変更
【補正の内容】
【０１５１】
図８では、オンになっているLiftのボタン５２が、オフになっているボタン６２及び７２とは異なる色や輝度等で表示されている。
【手続補正１２】
【補正対象書類名】明細書
【補正対象項目名】０１６９
【補正方法】変更
【補正の内容】
【０１６９】
図１２では、オンになっているLiftのボタン５２及びGammaのボタン６２が、オフになっているボタン７２とは異なる色や輝度等で表示されている。
【手続補正１３】
【補正対象書類名】明細書
【補正対象項目名】０２１６
【補正方法】変更
【補正の内容】
【０２１６】
ステップＳ２８では、表示制御部３２は、ビュー画面４２（図５）に表示された画像に、ステップＳ２７での調整後のアクティブパラメータを反映させ、これにより、その調整後のアクティブパラメータが反映された画像を、ビュー画面４２に表示させる。
【手続補正１４】
【補正対象書類名】明細書
【補正対象項目名】０２１９
【補正方法】変更
【補正の内容】
【０２１９】
また、ステップＳ２９において、タッチが解除されたと判定された場合、処理は、ステップＳ３０に進み、パラメータ制御部３４は、確定操作、すなわち、例えばOKボタン８２のタッチが行われたかどうかを判定する。
【手続補正１５】
【補正対象書類名】明細書
【補正対象項目名】０２７６
【補正方法】変更
【補正の内容】
【０２７６】
ステップＳ８４では、表示制御部３２は、タッチ位置が移動したタッチが割り当てられたパラメータのパラメータマークを、タッチ位置の移動に応じて、カラーサークル内を移動させ、処理は、ステップＳ８１に戻る。
【手続補正１６】
【補正対象書類名】明細書
【補正対象項目名】０２９０
【補正方法】変更
【補正の内容】
【０２９０】
以上のように、タッチが移動された後に、タッチが解除された場合、表示制御部３２では、そのタッチに応じて、タッチマークが移動されて消去される。このタッチマークの消去の直前のタッチマークの移動の態様としては、例えば、タッチの解除に伴い、タッチマークを即座に停止させて消去する第１の態様を採用することができる。
【手続補正１７】
【補正対象書類名】明細書
【補正対象項目名】０２９７
【補正方法】変更
【補正の内容】
【０２９７】
以上のように、タッチマークの移動の第２の態様では、タッチが解除された後も、タッチマークMは惰性で移動する。同様に、解除されたタッチが割り当てられたパラメータのパラメータマーク（５１Ａ，６１Ａ，７１Ａ）も、カラーサークル（５１，６１，７１）上を、惰性で移動し、その惰性の移動に応じて、解除されたタッチが割り当てられたパラメータ（の値）も変化する。
【手続補正１８】
【補正対象書類名】明細書
【補正対象項目名】０３３８
【補正方法】変更
【補正の内容】
【０３３８】
カラーサークル５１，６１，７１、及び、マスタバー５３，６３，７３を、上述のように、パラメータの調整をアクティブにするボタンとして兼用する場合には、例えば、カラーサークル５１がタッチされることによって調整がアクティブになるLiftのRGBと、マスタバー５３がタッチされることによって調整がアクティブになるLiftの輝度とは、例えば、排他的に、アクティブパラメータにすることができる。
【手続補正１９】
【補正対象書類名】明細書
【補正対象項目名】０３５７
【補正方法】削除
【補正の内容】